(57)【要約】【課題】複数の電池組と複数の監視ＩＣとの間を接続解放可能な複数のコネクタの内の少なくとも１つのコネクタを解放した際に、解放したコネクタに電位を発生させない。【解決手段】第１監視ＩＣ２０の入力端子２１ａ〜２１ｄに接続される第１接続線組２３と、第１接続線組２３の接続線２２ａ〜２２ｄと第１電池組１１の電池セル１０ａ〜１０ｄの正負極間との間の接続点１２ａ〜１２ｄを接続解放可能な第１コネクタ３０と、第２監視ＩＣ５０の入力端子５２ａ〜５２ｄに接続される第２接続線組５３と、第２接続線組５３の接続線２２ａ〜２２ｄと第２電池組４１の電池セル４０ａ〜４０ｃの正負極間との間の接続点４２ａ〜４２ｄを接続解放可能な第２コネクタ６０とを備える電圧監視装置１００において、第１監視ＩＣ２０と第２監視ＩＣ５０との間及び、第１接続線組２３と第２接続線組５３との間を電気的に分離する。【選択図】図１
2017049199.tif 000002
【特許請求の範囲】
【請求項１】
複数の電池セルが接続された電池組を複数直列に接続したバッテリの各セル電圧を監視する電圧監視装置であって、
複数の入力端子を備える一の監視ＩＣと、
前記一の監視ＩＣの前記各入力端子にそれぞれ接続される一の接続線組と、
前記一の接続線組中の各接続線と一の電池組の各電池セルの正負極間との間を接続解放可能な一のコネクタと、
複数の入力端子を備える他の監視ＩＣと、
前記他の監視ＩＣの前記各入力端子にそれぞれ接続される他の接続線組と、
前記他の接続線組中の各接続線と他の電池組の各電池セルの正負極間との間を接続解放可能な他のコネクタと、を備え、
前記一の監視ＩＣと前記他の監視ＩＣとの間及び、前記一の接続線組と前記他の接続線組との間が電気的に分離されていること、
を特徴とする電圧監視装置。
【発明の詳細な説明】
【技術分野】
【０００１】
本発明は、電圧監視装置の構造に関する。
【背景技術】
【０００２】
近年、電気自動車やハイブリッド車両等の電動車両に用いられるバッテリとして、出力電圧が３〜４Ｖの電池セル（例えば、リチウムイオン電池）を数十個以上直列に接続し、２００Ｖ〜４００Ｖの出力電圧としたバッテリが搭載されることが多い。このように多数の電池セルを直列に接続したバッテリでは、各電池セルの電圧のバラツキ、ＳＯＣのバラツキを抑制することが必要となるため、各電池セルの電圧を検出する電圧監視装置が用いられている。
【０００３】
電圧監視装置に用いられる集積回路などの半導体（監視ＩＣ）は、一つの電圧が３〜４Ｖの電池セル数個を直列に接続した程度の電圧には耐えられるが、数十個の電池セルを直列に接続した電圧には耐えられない。このため、監視ＩＣの耐圧に応じて、直列に接続された複数の電池セルを、数個、例えば４個乃至１２個の直列に接続された電池セルを有する複数の電池組に分け、複数の電池組のそれぞれに監視ＩＣを設けている。
【０００４】
複数の監視ＩＣは、対応する電池組が有する所定数の電池セルのそれぞれの正負極に電気的に接続され、対応する電池組の最高電位と最低電位との電位差（電圧）を電源電圧として受けて動作している。このため、複数の監視ＩＣは、電池組の電位の順にしたがって、電源系が電気的に直列に接続されている（例えば、特許文献１参照）。
【先行技術文献】
【特許文献】
【０００５】
【特許文献１】特開２０１３−７６６０２号公報
【発明の概要】
【発明が解決しようとする課題】
【０００６】
特許文献１に記載されたような電圧監視装置では、複数の監視ＩＣと、対応する電池組の各電池セルとの電気的な接続は、各電池セルの正負極間の接続点に配線を介して接続された複数のコネクタと、複数の監視ＩＣを実装した回路基板に設けられた複数のコネクタとをそれぞれ嵌め込み結合することにより行われる。コネクタの嵌めこみは複数の電池セルが充電された状態において実施されるため、複数のコネクタを嵌めこむ際に、コネクタが嵌めこまれている監視ＩＣからコネクタが嵌めこまれていない監視ＩＣに電位の回り込みが発生し、解放されている（嵌めこまれていない）コネクタに電位が発生するという問題があった。
【０００７】
このような問題は、バッテリシステムの製造（組立）工程において、電池組側のコネクタと監視ＩＣ側のコネクタとを嵌め込み結合する（活線挿入）作業時、バッテリシステムのメンテナンスにおける上記コネクタの接続或いは解放（活線挿抜）作業時などに生じる場合がある。
【０００８】
そこで、本発明は、複数の電池組と各電池組に対応する複数の監視ＩＣを含むバッテリシステムにおいて、各電池組と各監視ＩＣとの間をそれぞれ接続解放可能な複数のコネクタの内の少なくとも１つのコネクタを解放した際に、解放したコネクタに電位を発生させないことを目的とする。
【課題を解決するための手段】
【０００９】
本発明の電圧監視装置は、複数の電池セルが接続された電池組を複数直列に接続したバッテリの各セル電圧を監視する電圧監視装置であって、複数の入力端子を備える一の監視ＩＣと、前記一の監視ＩＣの前記各入力端子にそれぞれ接続される一の接続線組と、前記一の接続線組中の各接続線と一の電池組の各電池セルの正負極間との間を接続解放可能な一のコネクタと、複数の入力端子を備える他の監視ＩＣと、前記他の監視ＩＣの前記各入力端子にそれぞれ接続される他の接続線組と、前記他の接続線組中の各接続線と他の電池組の各電池セルの正負極間との間を接続解放可能な他のコネクタと、を備え、前記一の監視ＩＣと前記他の監視ＩＣとの間及び、前記一の接続線組と前記他の接続線組との間が電気的に分離されていること、を特徴とする。
【発明の効果】
【００１０】
本発明は、複数の電池組と各電池組に対応する複数の監視ＩＣを含むバッテリシステムにおいて、各電池組と各監視ＩＣとの間をそれぞれ接続解放可能な複数のコネクタの内の少なくとも１つのコネクタを解放した際に、解放したコネクタに電位を発生させないようにできる。
【図面の簡単な説明】
【００１１】
【図１】本発明の実施形態における電圧監視装置を含むバッテリシステムの構成を示す系統図である。
【図２】本発明の実施形態の電圧監視装置において、１つのコネクタが解放された状態を示す説明図である。
【図３】従来技術の電圧監視装置において、１つのコネクタが解放された状態を示す説明図である。
【図４】他の従来技術の電圧監視装置において、１つのコネクタが解放された状態を示す説明図である。
【発明を実施するための形態】
【００１２】
以下、図面を参照しながら本発明の実施形態の電圧監視装置１００について説明する。図１に示すように、本実施形態の電圧監視装置１００は、複数の電池セル１０ａ〜１０ｃが直列に接続された第１電池組１１と、複数の電池セル４０ａ〜４０ｃが直列に接続された第２電池組４１と、を直列に接続したバッテリ８０の各電池セル１０ａ〜１０ｃ，４０ａ〜４０ｃの各電圧（セル電圧）を監視するものである。この電圧監視装置１００は、複数の入力端子２１ａ〜２１ｄを備える第１監視ＩＣ２０と、第１監視ＩＣ２０の各入力端子２１ａ〜２１ｄにそれぞれ接続される複数の第１接続線２２ａ〜２２ｄで構成される第１接続線組２３と、第１接続線組２３の各第１接続線２２ａ〜２２ｄと第１電池組１１の各電池セル１０ａ〜１０ｃの一方の正極と他方の負極を結ぶ接続点１２ｂ、１２ｃと第１電池組１１の高電位側に接続される電池組の負極と電池セル１０ａの正極を結ぶ接続点１２ａと第１電池組１１の低電位側に接続される電池組の正極と電池セル１０ｃの負極を結ぶ接続点１２ｄとを接続解放可能な第１コネクタ３０と、複数の入力端子５１ａ〜５１ｄを備える第２監視ＩＣ５０と、第２監視ＩＣ５０の各入力端子５１ａ〜５１ｄにそれぞれ接続される複数の第２接続線５２ａ〜５２ｄで構成される第２接続線組５３と、第２接続線組５３の各第２接続線５２ａ〜５２ｄと第２電池組４１の各電池セル４０ａ〜４０ｃの一方の正極と他方の負極を結ぶ接続点４２ｂ、４２ｃと第２電池組４１の高電位側に接続される電池組の負極と電池セル４０ａの正極を結ぶ接続点４２ａと第２電池組４１の低電位側に接続される電池組の正極と電池セル４０ｃの負極を結ぶ接続点４２ｄとを接続解放可能な第２コネクタ６０と、を含んでいる。なお、バッテリ８０と電圧監視装置１００とはバッテリシステム２００を構成する。
【００１３】
図１に示すように、第１コネクタ３０は、複数のオス端子３２が取り付けられた第１オスコネクタ３１と、複数のメス端子３４が取り付けられた第１メスコネクタ３３とを含んでいる。各オス端子３２には第１接続線組２３の各第１接続線２２ａ〜２２ｄが接続されており、各メス端子３４は、第１電池組１１の各電池セル１０の一方の正極と他方の負極を結ぶ接続点１２ｂ、１２ｃと第１電池組１１の高電位側に接続される電池組の負極と電池セル１０ａの正極を結ぶ接続点１２ａと第１電池組１１の低電位側に接続される電池組の正極と電池セル１０ｃの負極を結ぶ接続点１２ｄとそれぞれ第１セル側接続線３５ｂ，３５ｃ，３５ａ，３５ｄで接続されている。複数の第１セル側接続線３５ａ〜３５ｄは第１セル側接続線組３６を構成する。第１メスコネクタ３３の各メス端子３４に第１オスコネクタ３１の各オス端子３２を差し込むと、第１接続線組２３と第１セル側接続線組３６とが電気的に接続され、第１電池組１１の各電池セル１０ａ〜１０ｃの一方の正極と他方の負極を結ぶ接続点１２ｂ、１２ｃと第１電池組１１の高電位側に接続される電池組の負極と電池セル１０ａの正極を結ぶ接続点１２ａと第１電池組１１の低電位側に接続される電池組の正極と電池セル１０ｃの負極を結ぶ接続点１２ｄと第１監視ＩＣ２０の各入力端子２１ｂ，２１ｃ，２１ａ，２１ｄとが電気的に接続される。
【００１４】
同様に、第２コネクタ６０は、複数のオス端子６２が取り付けられた第２オスコネクタ６１と、複数のメス端子６４が取り付けられた第２メスコネクタ６３とを含んでいる。各オス端子６２には第２接続線組５３の各第２接続線５２ａ〜５２ｄが接続されており、各メス端子６４は、第２電池組４１の各電池セル４０ａ〜４０ｃの一方の正極と他方の負極を結ぶ接続点４２ｂ、４２ｃと第２電池組４１の高電位側に接続される電池組の負極と電池セル４０ａの正極を結ぶ接続点４２ａと第２電池組４１の低電位側に接続される電池組の正極と電池セル４０ｃの負極を結ぶ接続点４２ｄとそれぞれ第２セル側接続線６５ｂ，６５ｃ，６５ａ，６５ｄで接続されている。複数の第２セル側接続線６５ａ〜６５ｄは第２セル側接続線組６６を構成する。第２メスコネクタ６３の各メス端子６４に第２オスコネクタ６１の各オス端子６２を差し込むと、第２接続線組５３と第２セル側接続線組６６とが電気的に接続され、第２電池組４１の各電池セル４０ａ〜４０ｃの一方の正極と他方の負極を結ぶ接続点４２ｂ、４２ｃと第２電池組４１の高電位側に接続される電池組の負極と電池セル４０ａの正極を結ぶ接続点４２ａと第２電池組４１の低電位側に接続される電池組の正極と電池セル４０ｃの負極を結ぶ接続点４２ｄと第２監視ＩＣ５０の各入力端子５１ｂ，５１ｃ，５１ａ，５１ｄとが電気的に接続される。
【００１５】
図１に示すように、第１電池組１１の低電位側の電池セル１０ｃの負極と第２電池組４１の高電位側の電池セル４０ａの正極との間には、電池セル１０ｃ側の接続点１２ｄと電池セル４０ａ側の接続点４２ａの接続点が設けられており、接続点１２ｄは、第１セル側接続線３５ｄ、第１コネクタ３０、第１接続線２２ｄを介して第１監視ＩＣ２０の入力端子２１ｄに接続されている。また、接続点４２ａは、第２セル側接続線６５ａ、第２コネクタ６０、第２接続線５２ａを介して第２監視ＩＣ５０の入力端子５１ａに接続されている。また、同様に、第１電池組１１の高電位側の電池セル１０ａの正極側と、図示しない高電位側の電池組の負極との間の接続点１２ａは、第１セル側接続線３５ａ、第１コネクタ３０、第１接続線２２ａを介して第１監視ＩＣ２０の入力端子２１ａに接続され、第２電池組４１の低電位側の電池セル４０ｃの負極側と、図示しない低電位側の電池組の正極との間の接続点４２ｄは、第２セル側接続線６５ｄ、第２コネクタ６０、第２接続線５２ｄを介して第２監視ＩＣ５０の入力端子５１ｄに接続されている。
【００１６】
また、図１に示すように、第１監視ＩＣ２０と第２監視ＩＣ５０との間は電気的に接続されていない。従って、第１監視ＩＣ２０と第２監視ＩＣ５０との間、第１接続線組２３の各第１接続線２２ａ〜２２ｄと第２接続線組５３の各第２接続線５２ａ〜５２ｄとの間は、それぞれ電気的に分離されている。
【００１７】
図２に示すように、図１を参照して説明した電圧監視装置１００の第１メスコネクタ３３を第１オスコネクタ３１から取り外すと、第１接続線組２３と第１セル側接続線組３６との接続が解放され、第１電池組１１の各電池セル１０ａ〜１０ｃの一方の正極と他方の負極を結ぶ接続点１２ｂ、１２ｃと第１電池組１１の高電位側に接続される電池組の負極と電池セル１０ａの正極を結ぶ接続点１２ａと第１電池組１１の低電位側に接続される電池組の正極と電池セル１０ｃの負極を結ぶ接続点１２ｄと第１監視ＩＣ２０の各入力端子２１ｂ，２１ｃ，２１ａ，２１ｄとが電気的に分離される。一方、第２メスコネクタ６３と第２オスコネクタ６１とは接続されたままなので、第２電池組４１の電圧は、第２接続線組５３、第２監視ＩＣ５０に印加されたままとなっている。本実施形態の電圧監視装置１００では、第１監視ＩＣ２０と第２監視ＩＣ５０との間、及び、第１接続線組２３と第２接続線組５３との間が電気的に分離されているので、第２電池組４１から第２接続線組５３、第２監視ＩＣ５０を通して第１接続線組２３、第１監視ＩＣ２０に電位が回り込むことがない。このため、解放されて外部に露出している第１オスコネクタ３１のオス端子３２に電位が発生しないので、容易に第１メスコネクタ３３の取り外し、取り付けを行うことができる。
【００１８】
図３に従来技術の電圧監視装置３００を示す。この従来技術の電圧監視装置３００では、第１電池組１１１の低電位側の電池セル１１０ｃの負極と第２電池組１４１の高電位側の電池セル１４０ａの正極との間には、１つの接続点１１２ｄしか配置されておらず、接続点１１２ｄは、第１セル側接続線１３５ｄ、第１コネクタ１３０、第１接続線１２２ｄを介して第１監視ＩＣ１２０の入力端子１２１ｄに接続されると共に、接続線７１によって第２監視ＩＣ１５０の入力端子１５１ａにも接続されている。また、同様に、第１電池組１１１の高電位側の電池セル１１０ａの正極側と、高電位側の第３電池組２１１の負極との間の接続点２１２ｄは、第３セル側接続線２３５ｄ、第３接続線２２２ｄを介して第３監視ＩＣ２２０の入力端子２２１ｄに接続され、第２電池組１４１の低電位側の電池セル１４０ｃの負極側と、図示しない低電位側の電池組の正極との間の接続点１４２ｄは、第２セル側接続線１６５ｄ、第２コネクタ１６０、第２接続線１５２ｄを介して第２監視ＩＣ１５０の入力端子１５１ｄに接続されると共に、接続線７１によって第４監視ＩＣ２５０の入力端子２５１ｂに接続されている。更に、第１監視ＩＣ１２０〜第４監視ＩＣ２５０の間は、それぞれ接続線７２によって直列に接続されている。また、第１監視ＩＣ１２０、第２監視ＩＣ１５０の各入力端子１２１ａ〜１２１ｄ，１５１ａ〜１５１ｄは、内部配線１２４，１５４で接続されており、各内部配線１２４，１５４は、それぞれ接続線７２に接続されている。
【００１９】
このように、第１電池組１１１の低電位側の電池セル１１０ｃの負極と第２電池組１４１の高電位側の電池セル１４０ａの正極との間の接続点１１２ｄを第１監視ＩＣ１２０と第２監視ＩＣ１５０とで共用とすることにより、第１、第２電池組１１１，１４１と第１，第２監視ＩＣ１２０，１５０を接続する第１接続線組１２３、第２接続線組１５３、第１セル側接続線組１３６、第２セル側接続線組１６６は、それぞれ３本の第１、第２接続線１２２ｂ〜１２２ｄ、１５２ｂ〜１５２ｄ、３本の第１、第２セル側接続線１３５ｂ〜１３５ｄ、１６５ｂ〜１６５ｄで構成され、第１、第２コネクタ１３０，１６０は、３組のオス端子１３２，１６２とメス端子１３４，１６４とで構成することができる。なお、電圧監視装置３００と各電池組１１１、１４１、２１１とはバッテリシステム４００を構成する。
【００２０】
しかし、このように構成された従来技術の電圧監視装置３００において、図３に示すように、第１メスコネクタ１３３を取り外した場合、第２電池組１４１から第２セル側接続線組１６６、第２コネクタ１６０、第２接続線組１５３を通して第２監視ＩＣ１５０の各入力端子１５１ｂ〜１５１ｄに印加されている第２電池組１４１の電位が、第２監視ＩＣ１５０の内部配線１５４を通って第２監視ＩＣ１５０の入力端子１５１ａにかかり、図３の矢印７３に示すように、入力端子１５１ａから接続線７１を通って第１接続線１２２ｄから第１オスコネクタ１３１の露出しているオス端子１３２にかかる。また、図３の矢印７４に示すように、第２電池組１４１の電位は、第２監視ＩＣ１５０の内部配線１５４から接続線７２を通って第１監視ＩＣ１２０の内部配線１２４から各入力端子１２１ｂ〜１２１ｄにかかり、各入力端子１２１ｂ〜１２１ｄから露出している第１オスコネクタ１３１のオス端子１３２にかかり、オス端子１３２に電位が発生する。このため、第１メスコネクタ１３３の取り付け、取り外しにおいては、作業者が露出しているオス端子１３２に接触しないように絶縁カバーを取り付ける等の工程が必要となる。
【００２１】
先に説明したように、本実施形態の電圧監視装置１００は、図３に示す従来技術の電圧監視装置３００と異なり、第１コネクタ３０の第１オスコネクタ３１は第１監視ＩＣ２０のみに接続され、第１メスコネクタ３３は第１電池組１１のみに接続され、第２コネクタ６０の第２オスコネクタ６１は第２監視ＩＣ５０のみに接続され、第２メスコネクタ６３は第２電池組４１のみに接続されており、第１接続線組２３と第２接続線組５３との間が電気的に分離されていると共に、各監視ＩＣ２０，５０の間が電気的に分離されている。このため、図２に示す第１メスコネクタ３３を取り外した場合にも解放されて外部に露出している第１オスコネクタ３１のオス端子３２に電位が発生することがないので、容易に第１メスコネクタ３３の取り外し、取り付けを行うことができる。
【００２２】
次に図４を参照しながら、他の従来技術の電圧監視装置５００を示す。この従来技術の電圧監視装置５００において、先に図１，図２を参照して説明したと同様の部分については、符号の最初に５を付して５００番台の符号として詳細な説明は省略する。
【００２３】
図４に示すように、この電圧監視装置５００は、図１，２を参照したと同様の第１電池組５１１と、第２電池組５４１の各電池セル５１０ａ〜５１０ｃ，５４０ａ〜５４０ｃの各電圧（セル電圧）を監視するものであり、第１監視ＩＣ５２０と、第２監視ＩＣ５５０と、第１コネクタ５３０と、第２コネクタ５６０とを備えている。第１コネクタ５３０は、第１監視ＩＣ５２０の各入力端子５２１ａ〜５２１ｄにそれぞれ接続される複数の第１接続線５２２ａ〜５２２ｄと、第２監視ＩＣの各入力端子５５１ａ，５５１ｂに接続される第２接続線５５２ａ，５５２ｂの合計６本の接続線と、第１電池組５１１の各電池セル５１０ａ〜５１０ｃの間の各接続点５１２ａ〜５１２ｄ及び第２電池組５４１の電池セル５４０ａの正負極側の各接続点５４２ａ，５４２ｂの合計６個の接続点との間を接続解放可能である。ここで、第１コネクタ５３０の第１オスコネクタ５３１に接続される第１接続線５２２ａ〜５２２ｄと第２接続線５５２ａ，５５２ｂの合計６本の接続線は第１接続線組５２３を構成し、第１メスコネクタ５３３と第１電池組５１１の各接続点５１２ａ〜５１２ｄとを接続する第１セル側接続線５３５ａ〜５３５ｄと、第２電池組５４１の接続点５４２ａ，５４２ｂとの間を接続する第２セル側接続線５６５ａ，５６５ｂの合計６本のセル側接続はセル側接続線組５３６を構成する。
【００２４】
一方、第２コネクタ５６０は、第２監視ＩＣ５５０の第２監視ＩＣの各入力端子５５１ｃ，５５１ｄに接続される第２接続線５５２ｃ，５５２ｄの２本の接続線と、第２電池組５４１の電池セル５４０ｂと電池セル５４０ｃとの間の接続点５４２ｃと第２電池組５４１の低電位側に接続される電池組の正極と電池セル５４０ｃの負極を結ぶ接続点５４２ｄの２個の接続点との間を接続解放可能である。ここで、第２接続線５５２ｃ，５５２ｄは第２接続線組５５３を構成し、第２メスコネクタ５６３と第２電池組５４１の接続点５４２ｃ，５４２ｄとの間を接続する第２セル側接続線５６５ｃ，５６５ｄはセル側接続線組５６６を構成する。先に、図３を参照して説明したように、各監視ＩＣ５２０，５５０の各端子５２１ａ〜５２１ｄ及び５５１ａ〜５５１ｄはそれぞれ内部配線５２４，５５４で接続されており、各内部配線５２４，５５４の間は接続線７２で接続されている。なお、電圧監視装置５００と各電池組５１１、５４１とはバッテリシステム６００を構成する。
【００２５】
このように構成された電圧監視装置５００では、第１コネクタ５３０の第１オスコネクタ５３１は、第１監視ＩＣ５２０と第２監視ＩＣ５５０とに跨って接続され、第１メスコネクタ５３３は、第１電池組５１１と第２電池組５４１とに跨って接続されているので、第１接続線組５２３と第２接続線組５５３との間が電気的に分離されていない。また、各監視ＩＣ５２０，５５０の間も電気的に分離されていない。このため、第１メスコネクタ５３３を第１オスコネクタ５３１から取り外した場合、図４の矢印７５に示すように、第２電池組５４１の一部と第２コネクタ５６０で接続されている第２監視ＩＣ５５０の端子５５１ｃ，５５１ｄから第２電池組５４１の一部の電位が第２監視ＩＣ５５０の内部配線５５４を通って入力端子５５１ａ，５５１ｂ、接続線５５２ａ，５５２ｂから露出している第１オスコネクタ５３１のオス端子５３２にかかり、オス端子５３２に電位が発生する。また、図４の矢印７６に示すように、第２電池組５４１の一部の電位は第２監視ＩＣ５５０の内部配線５５４から接続線７２、第１監視ＩＣの内部配線５２４を通って第１監視ＩＣの入力端子５２１ａ〜５２１ｄ、接続線５２２ａ〜５２２ｄから露出している第１オスコネクタ５３１のオス端子５３２にかかり、オス端子５３２に電位が発生する。このため、第１メスコネクタ５３３の取り付け、取り外しにおいては、作業者が露出しているオス端子５３２に接触しないように絶縁カバーを取り付ける等の工程が必要となる。
【００２６】
本実施形態の電圧監視装置１００は、先に図４を参照して説明した従来技術の電圧監視装置５００のような、第１コネクタ５３０の第１オスコネクタ５３１が第１監視ＩＣ５２０と第２監視ＩＣ５５０とに跨って接続され、第１メスコネクタ５３３が第１電池組５１１と第２電池組５４１とに跨って接続され、第１接続線組５２３と第２接続線組５５３との間が電気的に分離されていない構成ではなく、第１コネクタ３０の第１オスコネクタ３１は第１監視ＩＣ２０のみに接続され、第１メスコネクタ３３は第１電池組１１のみに接続され、第２コネクタ６０の第２オスコネクタ６１は第２監視ＩＣ５０のみに接続され、第２メスコネクタ６３は第２電池組４１のみに接続されており、第１接続線組２３と第２接続線組５３との間が電気的に分離されていると共に、各監視ＩＣ２０，５０の間は電気的に分離されている。このため、本実施形態の電圧監視装置１００は、図２に示す第１メスコネクタ３３を取り外した場合にも解放されて外部に露出している第１オスコネクタ３１のオス端子３２に電位が発生することがないので、容易に第１メスコネクタ３３の取り外し、取り付けを行うことができる。
【符号の説明】
【００２７】
１０ａ〜１０ｃ，４０ａ〜４０ｃ，１１０ａ〜１１０ｃ，１４０ａ〜１４０ｃ，２１０ｃ，５１０ａ〜５１０ｃ，５４０ａ〜５４０ｃ，２１０ｃ  電池セル  １１，４１，１１１，１４１，２１１，５１１，５４１  電池組、１２ａ〜１２ｄ，４２ａ〜４２ｄ，１１２ｂ〜１１２ｄ，１４２ｂ〜１４２ｄ，２１２ｄ，５１２ａ〜５１２ｄ，５４２ａ〜５４２ｄ  接続点、２０，５０，１２０，１５０，２２０，２５０，５２０，５５０  監視ＩＣ、２１ａ〜２１ｄ，５１ａ〜５１ｄ，１２１ａ〜１２１ｄ，１５１ａ〜１５１ｄ，２２１ｄ，２５１ｂ，５２１ａ〜５２１ｄ，５５１ａ〜５５１ｄ  入力端子、２２ａ〜２２ｄ，５２ａ〜５２ｄ，７１，７２，１２２ｂ〜１２２ｄ，１５２ｂ〜１５２ｄ，２２２ｄ，５２２ａ〜５２２ｄ，５５２ａ〜５５２ｄ  接続線、２３，５３，１２３，１５３，５２３，５５３  接続線組、３０，６０，１３０，１６０，５３０，５６０  コネクタ、３１，６１，１３１，１６１，５３１，５６１  オスコネクタ、３２，６２，１３２，１６２，５３２，５６２  オス端子、３３，６３，１３３，１６３，５３３，５６３  メスコネクタ、３４，６４，１３４，１６４，５３１，５６４  メス端子、３５ａ〜３５ｄ，６５ａ〜６５ｄ，１３５ａ〜１３５ｄ，１６５ａ〜１６５ｄ，２３５ｄ，５３５ａ〜５３５ｄ，５６５ａ〜５６５ｄ  セル側接続線、３６，６６，１３６，１６６，５３６，５６６  セル側接続線組、８０，５８０  バッテリ、１００，３００，５００  電圧監視装置、１２４，１５４，５２４，５５４  内部配線、２００，４００，６００  バッテリシステム。
【図１】
2017049199.tif 000003
【図２】
2017049199.tif 000004
【図３】
2017049199.tif 000005
【図４】
2017049199.tif 000006